(57)【要約】  【課題】  場所や規模等の制限がなく、かつ構造が簡単で、一回の入浴で複数の効用を得ることができる。  【解決手段】  大理石７１、電気石７２、医王石７３およびラジウム鉱石７４を敷き詰めて天然鉱石層７を形成する。温水が循環する配管５１によって天然鉱石層７を下から加温する。加温された天然鉱石層７の上に入浴者が横たわることによって、これらの複数種類の天然鉱石の効用を同時に得ることができる。【選択図】  図２
2005342078.tif 000002
【特許請求の範囲】
【請求項１】
浴場の床部と、この床部の下方位置に設けた加温装置とを備え、
上記床部は、複数の種類の天然鉱石を敷き詰めて形成してあり、
上記天然鉱石の１は、ラジウム鉱石であって、
上記敷き詰めた天然鉱石の上に身体を横たえるようにして使用する
ことを特徴とする天然鉱石浴場。
【請求項２】
浴場の床部と、この床部の下方位置に設けた加温装置とを備え、
上記床部は、複数の種類の天然鉱石を敷き詰めて形成してあり、
上記天然鉱石は、少なくとも大理石、医王石、電気石及びラジウム鉱石から構成され、
上記敷き詰めた天然鉱石の上に身体を横たえるようにして使用する
ことを特徴とする天然鉱石浴場。
【請求項３】
請求項１〜２のいずれかにおいて、上記床部は、上記加温装置によって６５〜７０℃に加温されており、
上記浴場は、４５〜５０℃に保温してある
ことを特徴とする天然鉱石浴場。
【請求項４】
請求項１〜３のいずれかの１において、上記加温装置の下方には、断熱材が敷いてあることを特徴とする天然鉱石浴場。
【請求項５】
請求項１〜４のいずれかの１において、上記複数種類の鉱石は、種類により互いに異なる大きさを有し、
上記大理石の大きさは１５〜３０ｍｍであり、
上記電気石の大きさは１０〜２０ｍｍであり、
上記医王石の大きさは７〜１３ｍｍであり、
上記ラジウム鉱石の大きさは３〜７ｍｍである
ことを特徴とする天然鉱石浴場。
【発明の詳細な説明】
【技術分野】
【０００１】
本発明は、ラジウム鉱石等を含む複数種類の天然鉱石を使用した天然鉱石浴場に関する。
【背景技術】
【０００２】
多くの天然鉱石が健康増進効果を有することは広く知られている。例えばラジウム鉱石は、鉱石より放射される微量の放射線が、体内深部に作用して新陳代謝を促し、関節リュウマチ、神経痛、皮膚病等に効果があるとされている。大理石は加温すると、遠赤外線効果により，体表面より深部をあたためることにより、新陳代謝を促し、喘息等の疾患だけでなく体脂肪除去効果を持つといわれている。電気石は、マイナスイオンを発生することにより、体内の老廃物浄化だけでなく、環境の有害物、例えば塩素等を電気分解除去することが知られている。医王石は、遠赤外作用、マイナスイオン放出機能等を有し、美肌効果を有するとされている。
【０００３】
これらの天然鉱石の健康効果を効率的に得る目的で、従来から、複数の鉱石を浴場設備に用いた手段が提案されている（例えば、特許文献１参照。）。すなわち、この特許文献においては、ラジウム放射線が放射される岩盤上に浴場を建設し、ラジウム放射線による健康効果を得るとともに、複数の鉱石を混合して敷き詰め、温水パイプによって天然鉱石を加熱することにより、遠赤外、紫外線、マイナスイオン等、それぞれの鉱石による健康効果をも同時に得ようとするものである。
【特許文献１】特開２００２−３５０７８号公報
【発明の開示】
【発明が解決しようとする課題】
【０００４】
しかしながら従来の手段には、次のような改良すべき問題点があった。すなわち、ラジウム放射線を放射する岩盤上に浴場を建設する必要があるため、そのような岩盤が存在する極限られた場所以外では実施できず、さらにそのような場所は立地条件が非常に厳しい場合が多く、多くの利用者が簡便に利用することができないため、実用的ではない。さらに、従来技術では、鉱石の敷き方は考慮されていないが、このような方法では、例えば遠赤外を放出する鉱石の上に、他の鉱石があれば、遠赤外がその鉱石に吸収され利用者まで届かず、遠赤外による十分な健康効果を得ることができないという問題点もある。
【０００５】
そこで本発明の目的は、建設場所を選ばない、すなわち、市街地、さらには、個人の浴場にも適用できるとともに、健康効果の異なる複数種類の天然鉱石による健康効果を一回の入浴で、効率よく最大限に利用できる天然鉱石浴場を提供することにある。
【課題を解決するための手段】
【０００６】
本発明による天然鉱石浴場の特徴は、浴場の床部と、この床部の下方位置に設けた加温装置とを備え、この床部は、複数の種類の天然鉱石を敷き詰めて形成してあることにある。天然鉱石の１は、ラジウム鉱石であって、この敷き詰めた天然鉱石の上に身体を横たえるようにして使用する。
【０００７】
上記ラジウム鉱石以外の天然鉱石は、少なくとも大理石、医王石及び電気石が含まれることが望ましい。床部は、加温装置によって６５〜７０℃に加温されており、浴場は、４５〜５０℃に保温してあることが望ましい。
【０００８】
さらに加温装置の下方には、断熱材が敷いてあることが望ましい。また複数種類の鉱石は、種類により互いに異なる大きさを有しており、大理石は１５〜３０ｍｍ、電気石は１０〜２０ｍｍ、医王石は７〜１３ｍｍ、ラジウム鉱石は約３〜７ｍｍの大きさであることが望ましい。
【０００９】
ここで「浴場」とは、天然鉱石を敷き詰めた床部の周囲と上部とを囲む部屋や建物だけに限らず、少なくとも上部だけ、または周囲の一部だけを囲む建造物も含み、そのサイズや形状を問わない。また「加温手段」には、その上部に敷き詰めた天然鉱石を所定の温度に暖め得る全ての手段を含み、例えば温水、スチームまたは加温空気の通路を配設する手段や、電気ヒーターを配置する手段が該当する。また加温装置の敷設形状・密度等を変えて、床部を場所によって温度を変える場合も含む。
【００１０】
「身体を横たえる」とは、全身を天然鉱石の上に横たえる場合に限らず、この天然鉱石の上に座って入浴する場合も含む。また「断熱材」とは、加温装置の熱が、下方に逃げていくのを抑制できるすべての部材を含み、例えば発泡プラスチック、合成樹脂フィルム、合成樹脂繊維からなるシートが該当する。また「浴場の保温」は、加温装置で加温した床部の熱で保温する場合に限らず、この加温装置とは別の保温装置によって、浴場を保温する場合も含む。
【発明の効果】
【００１１】
ラジウム鉱石を含む複数種類の天然鉱石を敷き詰めて浴場を構成することにより、建設場所、規模及び形状等の制約を受けず、かつ通常の風呂のように湯槽を使用しないため、構造が簡単となり、許可等の処分も特に必要とされない。このため郊外の大型施設として、市街地の小型施設として、さらには個人の家庭内にも容易に適用可能であり、また増設設備としても容易に適用可能である。したがって実用性が極めて高い。
【００１２】
大理石、医王石、電気石及びラジウム鉱石の複数種の天然鉱石を敷き詰めて床部を形成し、下方から加温装置で加温したこの床部の上に身体を横たえることによって、ラジウム鉱石による放射線効果に加え、大理石による遠赤外効果、医王石による美肌効果、電気石によるマイナスイオン効果を同時に得ることができる。
【００１３】
天然鉱石を敷き詰めた床部を加温装置によって、６５〜７０℃に加温し、浴場の温度を４５〜５０℃に保温することにより、それぞれの天然鉱石の健康効果に関わる機能を、より効果的に発揮できる。すなわち従来の低温サウナ（約６０度前後）より温和な雰囲気にしてあり、約３０〜１時間前後の長時間入浴を可能とし、天然鉱石による健康増進効果を十分に得ることができる。この特長により、さらには、健常者はもとより、高齢者の健康増進、さらには病気療養、リハビリにも役立てることができる。
【００１４】
加温装置の下方に断熱材を敷くことにより、下方へ熱が逃げ難くなり、加温効率が向上して運営コストの低減が可能になる。また天然鉱石の大きさを種類により変えて敷き詰めることにより、自然に大きな粒径の大理石が最上部に、粒径の小さなラジウム鉱石が下部に集まるようになる。このため最上部の大理石から放射される遠赤外線は、妨害なく入浴者に届くようになる。一方ラジウム鉱石からの放射線は、最下部に位置しても上部の鉱石を貫通するため、ラジウム鉱石からの放射線効果は十分保持できる。
【発明を実施するための最良の形態】
【００１５】
図１〜図３を参照しつつ本発明による天然鉱石浴場の構成を説明する。図１に示すように、この天然鉱石浴場は、浴場１の床部２と、この床部の下方に設けた加温装置とを備えている。浴場１は、四方の壁１１及び天井で囲んだ、ほぼ長方形の浴室になっており、入り口戸１２、のぞき窓１３を有している。また床部２は、入り口戸１２から延長する踊り場２２を除いて、複数の種類の天然鉱石７を敷き詰めてある。なお床部２は、個々の入浴者が一人ずつ横に寝そべる大きさに、木枠２１によって区画されている。
【００１６】
図２に床部２の断面構造を示す。床部２は、地面の上に断熱材である発泡プラスチック４を敷き、その上に約２００ｍｍの厚さのコンクリート３を打設し、その上に後述する加温装置５の配管５１が設置されている。配管５１は、厚さ約１５０ｍｍの砂層６で覆われ、その上に天然鉱石層７を厚さ約１５０ｍｍ〜２００ｍｍ敷き詰めてある。なお天然鉱石層７の上部には、ござ等のマット８が敷かれており、その上に入浴者が横たわるようになっている。
【００１７】
天然鉱石層７は、上部から直径約２５ｍｍの大理石７１、直径約１５ｍｍの電気石７２、直径約１０ｍｍの医王石７３、直径約５ｍｍのラジウム鉱石７４を敷き詰めて形成されている。なおこれらの天然鉱石を、混合してから敷き詰めてもよい。種類により粒径が異なるため、自然に一番小さな粒径のラジウム鉱石７４が下部に落ち込み、一番粒径の大きな大理石７１が上部に位置するようになり、この大理石と入浴者の間に大理石からの遠赤外線を妨害するものが少なくなり、入浴者に対する遠赤外効果を高めることができる。
【００１８】
天然鉱石層７の使用割合は、大理石７１が８、電気石７２が２、医王石７３が２、そしてラジウム鉱石７４が０．０１の比率にしている。勿論、それぞれの天然鉱石の使用割合を変えて、それぞれの鉱の効果の度合いを調整することも容易にできる。
【００１９】
なお大理石７１は、中国産のミカゲ石の角部を丸く加工したものを使用し、電気石７２は、ブラジル産のトルマリンを使用する。また医王石７３は、石川県の医王山で産出される、いわゆる戸室石を使用し、ラジウム鉱石７４は、中国産のものを使用する。ラジウム鉱石７４は、一般的な天然ラジウム鉱石と同等の、０．０１〜０．０１５マイクロシーベルトの放射線強度を有するものを使用する。なおこれらの天然鉱石は、他の地域の産出物を使用してもよく、市販品を使用してもよい。
【００２０】
図３に、本発明による加温装置５の構成を示す。加温装置５は、床部２の下部に設けた金属製の配管５１と、この配管内に加温した水を循環させるボイラ設備５２を備えている。ボイラ設備５２は、天然鉱石層７に設置した温度センサ（図示せず。）によって、この天然鉱石層を６５〜７０℃に加熱する温水を配管５１に循環させる。なお配管５１の配置形状等を変えれば、天然鉱石層７の加温温度を場所によって変えることができ、天然鉱石による健康増進効果に差異をつけることも可能である。
【００２１】
図示していないが、浴場１の壁１１には、保温器と排気ファンが設けてあり、四季を通じてこの浴場内の温度を４５〜５０℃に保持している。なお保温器は、上述したボイラ設備５２からの温湯を導入して、この熱で浴場１を保温する手段を採用しているが、その他の電気ヒータや、灯油ヒータ等も使用してもよい。
【００２２】
なお、天然鉱石浴場は、上述したように屋外に設けて多数の者が利用するものに限らず、
企業や保養所のビル等の屋内、あるいは個人の住居内に設けることも容易にできる。このような場合には、加温装置は、電気ヒータを使用することもできる。さらに上述した以外の天然鉱石も追加して、その天然鉱石の効用を付加することも容易にできる。
【産業上の利用可能性】
【００２３】
本発明による天然鉱石浴場は、複数種類の天然鉱石の健康効果を最大限に受けることのできる入浴設備であり、場所、規模及び形状の制限を受けず、構造も簡単で、安価に建造することができるので、健康産業等において広く産業上の利用が可能である。
【図面の簡単な説明】
【００２４】
【図１】天然鉱石浴場の内部斜視図である。
【図２】天然鉱石浴場の床部断面図である。
【図３】天然鉱石浴場の加温装置の概略構成図である。
【符号の説明】
【００２５】
１        浴場
２        床部
２１      木枠
３        コンクリート
４        発泡プラスチック（断熱材）
５        加温装置
５１      配管
５２      ボイラ設備
６        砂層
７        天然鉱石層
７１      大理石
７２      電気石
７３      医王石
７４      ラジウム鉱石
８        マット
【図１】
2005342078.tif 000003
【図２】
2005342078.tif 000004
【図３】
2005342078.tif 000005